(57)【特許請求の範囲】
【請求項１】
複数個のガスバーナが配設され、五徳が複数個に分割され、各々のガスバーナを囲繞するように分割五徳がトッププレートに載置され、分割五徳の連結枠の外周枠部分が上下方向に高い障壁になされ、障壁がトッププレートの外周縁部の上方に配置され、トッププレートと障壁との間に小間隙が形成されて成ることを特徴とするガス調理器。
【請求項２】
連結枠に脚片が下方に複数個延出され、脚片がトッププレートに当接し、脚片間において上記小間隙が形成されて成ることを特徴とする請求項１記載のガス調理器。
【請求項３】
脚片が鉤形に形成され、トッププレートの周部に堤部が形成され、堤部に脚片が係合されて五徳の位置決めがなされて成ることを特徴とする請求項１又は請求項２記載のガス調理器。
【請求項４】
前列に複数個のガスバーナが並設され、後列に１個又は複数個のガスバーナが配設され、各々のガスバーナを囲繞するように分割五徳がトッププレートの上に載置され、後列の分割五徳の左右に補助五徳が配置されて、トッププレートの略全面にわたって分割五徳及び補助五徳が敷き詰められ、分割五徳及び補助五徳の表面が略面一になされるとともに各々が鋳物製であることを特徴とする請求項１記載のガス調理器。
【請求項５】
前列に２個のガスバーナが並置され、後列に、前列のガスバーナの中間位置に１個のガスバーナが配置される３口コンロであることを特徴とする請求項４記載のガス調理器。
【請求項６】
補助五徳にはトッププレートに達する支持脚が垂下されるとともに後列の分割五徳に形成された被載設部を載置する載置部が形成され、後列の分割五徳には、前列の分割五徳のトッププレート中央側の角部を載置する角部載置部が形成され、支持脚がトッププレートの中央側の平坦部に載置されて補助五徳がトッププレートに載設支持され、後列の分割五徳の被載設部が補助五徳の載置部に載置されて後列の分割五徳が左右の補助五徳に載設支持され、前列の分割五徳の後部角部が後列の分割五徳の角部載置部に載置されて前列の分割五徳が後列の分割五徳に載設支持されて成ることを特徴とする請求項４又は請求項５記載のガス調理器。
【請求項７】
後部に形成されている排気口の上方及びその左右部には、後列の分割五徳及び補助五徳に一体に形成された排気口用五徳部分が配置されて成ることを特徴とする請求項４又は請求項５又は請求項６記載のガス調理器。
【請求項８】
後列の分割五徳の排気口用五徳部分には、トッププレートに近接する一対の隔壁が垂下され、トッププレートの開口部に排気口が臨み、隔壁間に排気口が位置されて成ることを特徴とする請求項７記載のガス調理器。
【発明の詳細な説明】
【０００１】
【産業上の利用分野】
本発明は、主としてビルトイン型のガス調理器に関し、詳しくは、五徳の載置面積を増しながら、周部への熱影響を抑制し、このような五徳のメンテナンスを容易におこなえるようにしようとする技術に係るものである。
【０００２】
【従来の技術】
従来、流し台及び調理台に組み込まれるビルトイン型のガス調理器Ａａで、図１４に示すように、例えば３個のガスバーナ１０を配設したいわゆる３口コンロにおいて、五徳２の外周部はトッププレート１の外周から内方側に入り込んでいる。また、五徳２は前列のものは２分割されているが、後列のものは、長尺になされている。更に、排気口の上方及び左右に配設される排気口用五徳部分２ｃも長尺になされている。図１４において、２ａ，２ｂは分割五徳を示している。
【０００３】
【発明が解決しようとする課題】
ところでこのように、五徳２の外周縁がトッププレート１の内方側に入り込むのは、ガスバーナ１０からの熱気が五徳２を越えて外周に波及されてもその熱影響を軽減することに起因するものである。このため、五徳２の載置面積が小さくなるのである。しかも、後列の分割五徳２ｂ及び排気口用五徳部分２ｃは長尺に形成されているから、これらをシンクに入れることができず、洗浄が面倒になり、メンテナンスにおける作業性が低下する問題があった。。
【０００４】
本発明はこのような問題に鑑みてなされたものであり、その目的とするところは、五徳の周部に障壁を形成することで、周部への伝熱を抑制し、かつ、ガスバーナーにおける燃焼ガスが鍋のような調理容器の底部に沿って上昇するのに伴ってガス調理器の外部から冷気を五徳の内部に引込み、この冷気の通過にて五徳の周縁部の温度上昇を抑制し、五徳の周部への熱影響を一層抑制し、しかして、五徳における鍋などの載置面積を大きくし、大きな鍋や鍋などの仮置きのための場所を確保し、調理のための作業性を高め、しかも、このような五徳を例えばシンクに入れて洗浄するなどのメンテナンスを容易におこなえ、使い勝手のよいガス調理器を提供しようとするにある。
【０００５】
【課題を解決するための手段】
請求項１においては、複数個のガスバーナ１０，１０，１０が配設され、五徳２が複数個に分割され、各々のガスバーナ１０を囲繞するように分割五徳２ａがトッププレート１に載置され、分割五徳２ａの連結枠４の外周枠部分が上下方向に高い障壁６になされ、障壁６がトッププレート１の外周縁部の上方に配置され、トッププレート１と障壁６との間に小間隙ｅが形成されて成ることを特徴とするものである。
【０００６】
請求項２においては、連結枠４に脚片２２が下方に複数個延出され、脚片２２がトッププレート１に当接し、脚片２２，２２間において上記小間隙ｅが形成されて成ることを特徴とするものである。
請求項３においては、脚片２２が鉤形に形成され、トッププレート１の周部に堤部２１が形成され、堤部２１に脚片２２が係合されて五徳２の位置決めがなされて成ることを特徴とするものである。
【０００７】
請求項４においては、前列に複数個のガスバーナ１０，１０が並設され、後列に１個又は複数個のガスバーナ１０が配設され、各々のガスバーナ１０を囲繞するように分割五徳２ａがトッププレート１の上に載置され、後列の分割五徳２ａの左右に補助五徳２ｂが配置されて、トッププレート１の略全面にわたって分割五徳２ａ及び補助五徳２ｂが敷き詰められ、分割五徳２ａ及び補助五徳２ｂの表面が略面一になされるとともに各々が鋳物製であることを特徴とするガス調理器。
【０００８】
請求項５においては、前列に２個のガスバーナ１０，１０が並置され、後列に、前列のガスバーナ１０，１０の中間位置に１個のガスバーナ１０が配置される３口コンロであることを特徴とするものである。
請求項６においては、補助五徳２ｂにはトッププレート１に達する支持脚３２が垂下されるとともに後列の分割五徳２ａに形成された被載設部３３を載置する載置部３４が形成され、後列の分割五徳２ａには、前列の分割五徳２ａのトッププレート中央側の角部を載置する角部載置部３５が形成され、支持脚３２がトッププレート１の中央側の平坦部に載置されて補助五徳２ｂがトッププレート１に載設支持され、後列の分割五徳２ａの被載設部３３が補助五徳２ｂの載置部３４に載置されて後列の分割五徳２ａが左右の補助五徳２ｂ，２ｂに載設支持され、前列の分割五徳２ａ，２ａの後部角部が後列の分割五徳２ａの角部載置部３５に載置されて前列の分割五徳２ａ，２ａが後列の分割五徳２ａに載設支持されて成ることを特徴とするものである。
【０００９】
請求項７においては、後部に形成されている排気口３１の上方及び左右部には、後列の分割五徳２ａ及び補助五徳２ｂに一体に形成された排気口用五徳部分２ｃが配置されて成ることを特徴とするものである。
請求項８においては、後列の分割五徳２ａの排気口用五徳部分２ｃには、トッププレート１に近接する一対の隔壁３６，３６が垂下され、トッププレート１の開口部２３に排気口３１が臨み、隔壁３６，３６間に排気口３１を位置させて成ることを特徴とするものである。
【００１０】
【作用】
請求項１においては、分割五徳２ａをシンクの中に入れて洗うことができながら、高い障壁６にて遮熱をおこなうことができ、かつ、小間隙ｅから外気を導入して障壁６の冷却を図ることができ、しかして、外部への熱影響を抑制でき、結果として、五徳の載置面積を増すことができる。即ち、分割五徳２ａの外周枠部分がトッププレート１の外周縁部に載置されて、五徳２はトッププレート１の略全域に敷設され、五徳２の載置面積を大きくでき、大きな鍋の使用が可能となり、また、鍋などを余剰スペースに仮置きでき、使いやすさを高めることができる。
【００１１】
請求項２においては、脚片２２を有効に利用して、小間隙ｅが確実に形成できる。
請求項３においては、五徳２の位置決め、特に障壁６の位置決めが確実におこなえる。
請求項４においては、前列に複数個、後列に１個又は複数個のガスバーナ１０が配設される多口コンロにおいて、前列のものは勿論、後列のものも全てシンク２７の中に入れて洗うことができ、かつ鋳物製としながら分割することで、重量的な問題も回避でき、結果として、主婦が容易にメンテナンスができる。しかも、分割された全てのものは略面一となっていて、使いやすさを一層高める。
【００１２】
請求項５においては、五徳２は、前列に２個、後列に３個の合計５個に分割され、前列のものは勿論、後列のものも全てシンク２７の中に入れて洗うことができる。
請求項６においては、支持脚３２をトッププレート１の中央側の平坦部に載設して左右の補助五徳２ｂ，２ｂをトッププレート１に載設支持し、補助五徳２ｂの載置部３４に後列の分割五徳２ａの被載設部３３を載置して、後部の分割五徳２ａを左右の補助五徳２ｂ，２ｂ間に載設支持し、その後、後列の分割五徳２ａの角部載置部３５に前列の分割五徳２ａ，２ａの角部を載置することで、分割されたものを後列から順番に組み立てることができ、分解は前列のものからおこなえ、作業性を高める。
【００１３】
請求項７においては、従来では別体となっていた排気口用五徳部分２ｃを一体化して、その取扱い性を高めることができる。
請求項８においては、一対の隔壁３６，３６にて排気口３１からの排気が後列の分割五徳２ａや補助五徳２ｂを越えてガスバーナ１０側に侵入するのを防止することができる。
【００１４】
【実施例】
以下本発明の実施例を図面に基づいて詳述する。
図１は本発明の主要部を示し、図２乃至図５は全体を示している。本発明のガス調理器８は、キャビネットやオーブン３７などの上にシステムキッチンとして組み込まれている。ガス調理器８はその下部のグリル調理部１１の上に載せられて一体化されている。以下ガス調理器８の構成を詳述する。
【００１５】
ガス調理器８の内部ケース９は例えばボックス型に形成され、その底面には例えば３個のガスバーナー１０…が設置され、内部ケース９の上端のフランジ２８がカウンター５の載置部１２に載置されている。カウンター５は図１３に示すように、長さ方向の一側部には略ロ字状の開口部１６が形成され、この開口部１６内にガス調理器８が挿入されて設置されるのである。カウンター５の他側部にはシンク２７が形成されている。しかして、開口部１６にガス調理器８をはめ込み、内部ケース９の上部周辺でパッキン２９が外縁の全周に装着されているフランジ２８をカウンター５の載置部１２に載せ、その上にトッププレート１の周縁部が載置され、トッププレート１の窓孔１３に上記ガスバーナー１０が臨んでいる。トッププレート１には窓孔１３に対応して五徳２が載置されている。
【００１６】
ガス調理器８の前面の操作パネル１４には各ガスバーナー１０に対応して操作釦１５が設けられ、操作釦１５の回動操作にてガスバーナー１０へのガスの供給、点火及び消火をおこなえるようにしてある。このようなガス調理器８の構成は周知のものである。
図６乃至図９は五徳２を示していて、五徳２の全体の載置面積を増しながら、周部への熱影響を抑制し、更に、このような五徳２のメンテナンスを容易におこなえるようにしてある。以下その構成を詳述する。
【００１７】
ガスバーナ１０は前列に２個が並設され、後列に、上記２個のガスバーナ１０，１０の略中央部に１個のガスバーナ１０が配設されている。五徳２は５分割された鋳物製であり、各々のガスバーナ１０を囲繞するように分割五徳２ａの３個がトッププレート１の上に載置され、後列の分割五徳２ａの左右に各々補助五徳２ｂが配置されて、トッププレート１の略全面にわたって分割五徳２ａ及び補助五徳２ｂが敷き詰められ、五徳２の載置面積を大きくしている。
【００１８】
分割五徳２ａ及び補助五徳２ｂは、複数本の支持杆３の外方端部を一連に連結する連結枠４のうち、トッププレート１の外周部に配置される外周枠部分、つまり、五徳２の外周枠部分が上下方向に高い障壁６になされていて、高い障壁６にて分割五徳２ａ及び補助五徳２ｂの内部の熱気が外部に波及するのを抑制できるようにしてある。
【００１９】
分割五徳２ａ及び補助五徳２ｂの連結枠４の下面には、適宜間隔を隔てて脚片２２が下方に複数個延出され、脚片２２がトッププレート１の外周部に当接し、脚片２２，２２間において障壁６とトッププレート１間に小間隙ｅを形成してあり、この小間隙ｅから、ガスバーナ１０における燃焼に伴う熱気の上昇に起因して、障壁６の外部の冷気を内部に導入するのであり、このような外部空気の導入にて障壁６の温度上昇を抑制でき、一層、熱影響を回避できるようにしてある。
【００２０】
脚片２２が鉤形に形成され、トッププレート１の周部に堤部２１が形成され、堤部２１に脚片２２が係合されて五徳２の位置決めがなされ、障壁６の位置決めがなされている。
補助五徳２ｂの内側の連結枠４には支持脚３２が垂下されて、支持脚３２がトッププレート１に達して、上記脚片２２との共同で補助五徳２ｂの安定支持がおこなえるようにしてある。この支持脚３２には、載置部３４及び位置決め突片３８が形成され、後列の分割五徳２ａには連結枠４の下面の被載設部３３と位置決め凹溝３９が形成されている。しかして、トッププレート１の後列の左右部に安定的に載設支持された補助五徳２ｂの載置部３４に、後列の分割五徳２ａの被載設部３３載置し、位置決め凹溝３９を位置決め突片３８に挿入して位置決めし、補助五徳２ｂ，２ｂ間に後列の分割五徳２ａを位置決めして載設支持することできるようにしてある。
【００２１】
後列の分割五徳２ａの前部の連結枠４には、略水平板状に角部載置部３５が形成されている。しかして、突き合わされて組まれる前列の分割五徳２ａ，２ａの内側で後部の角部４０，４０を載置支持することができるようにしてある。
以上のように、前列に２個、後列に１個のガスバーナ１０が配設されるいわゆる３口コンロにおいて、五徳２は、前列に２個、後列に３個の合計５個に分割され、前列のものは勿論、後列のものも全てシンク２７の中に入れて洗うことができ、かつ鋳物製としながら５分割することで、重量的な問題も回避でき、結果として、主婦が容易にメンテナンスができるものである。そして、５個の全てのものの表面は略面一となっていて、鍋等を補助五徳２ｂ等の余剰のスペース部分に仮置きでき、使いやすくしている。実施例においては、支持杆３が他よりも僅かに高くなっている。
【００２２】
トッププレート１の後端部の開口部２３にガス調理器８の排気口３１が臨んでいる。後列の分割五徳２ａ及び補助五徳２ｂには、排気口用五徳部分２ｃが一連に形成されている。しかして、排気口３１の上方及び左右部分に排気口用五徳部分２ｃが配置されている。このように、後部の分割五徳２ａ及び補助五徳２ｂには排気口用五徳部分２ｃが一体に形成されていて、従来では別体となっていた排気口用五徳部分を一体化して、その取扱い性を高めることができるようにしてある。
【００２３】
後部の分割五徳２ａの排気口用五徳部分２ｃにはトッププレート１に近接する一対の隔壁３６，３６が垂下され、一対の隔壁３６，３６間に排気口３１を位置させ、隔壁３６にて排気口３１からの排気が後列の分割五徳２ａを越えてガスバーナ１０側に侵入するのを防止することができるようにしてある。
尚、本発明のガス調理器８は、カウンター５に凹入部を形成し、この凹入部内に五徳２を入れ、五徳２の外周枠部分の障壁６にて、障壁６に対向する凹入部の側壁がわに熱気が波及するのを抑制するようにして使用してもよいものである。
【００２４】
【発明の効果】
請求項１においては、複数個のガスバーナが配設され、五徳が複数個に分割され、各々のガスバーナを囲繞するように分割五徳がトッププレートに載置され、分割五徳の連結枠の外周枠部分が上下方向に高い障壁になされ、障壁がトッププレートの外周縁部の上方に配置され、トッププレートと障壁との間に小間隙が形成されているから、分割五徳をシンクの中に入れて洗うことができながら、高い障壁にて遮熱をおこなうことができ、かつ、小間隙から外気を導入して障壁の冷却を図ることができ、しかして、外部への熱影響を抑制でき、結果として、五徳の載置面積を増すことができるという利点がある。即ち、分割五徳の外周枠部分がトッププレートの外周縁部に載置されて、五徳はトッププレートの略全域に敷設され、五徳の載置面積を大きくでき、大きな鍋の使用が可能となり、また、鍋などを余剰スペースに仮置きでき、使いやすさを高めることができるという利点がある。
【００２５】
即ち、五徳の載設面積を増大しながら熱影響を効果的に回避できる点に発明性を見出すものである。
請求項２においては、連結枠に脚片が下方に複数個延出され、脚片がトッププレートに当接し、脚片間において上記小間隙が形成されているから、脚片を有効に利用して、小間隙が確実に形成できるという利点がある。
【００２６】
請求項３においては、脚片が鉤形に形成され、トッププレートの周部に堤部が形成され、堤部に脚片が係合されて五徳の位置決めがなされているから、五徳の位置決め、特に障壁の位置決めが確実におこなえるという利点がある。
請求項４においては、前列に複数個のガスバーナが並設され、後列に１個又は複数個のガスバーナが配設され、各々のガスバーナを囲繞するように分割五徳がトッププレートの上に載置され、後列の分割五徳の左右に補助五徳が配置されて、トッププレートの略全面にわたって分割五徳及び補助五徳が敷き詰められ、分割五徳及び補助五徳の表面が略面一になされるとともに各々が鋳物製であるから、五徳は、前列及び後列において各々複数個に分割され、前列のものは勿論、後列のものも全てシンクの中に入れて洗うことができ、かつ鋳物製としながら分割することで、重量的な問題も回避でき、結果として、主婦が容易にメンテナンスができ、しかも、全ては略面一となっていて、使いやすさを高めるという利点がある。
【００２７】
請求項５においては、前列に２個のガスバーナが並置され、後列に、前列のガスバーナの中間位置に１個のガスバーナが配置される３口コンロであるから、五徳は、前列に２個、後列に３個の合計５個に分割され、前列のものは勿論、後列のものも全てシンクの中に入れて洗うことができる。
請求項６においては、補助五徳にはトッププレートに達する支持脚が垂下されるとともに後列の分割五徳に形成された被載設部を載置する載置部が形成され、後列の分割五徳には、前列の分割五徳のトッププレート中央側の角部を載置する角部載置部が形成され、支持脚がトッププレートの中央側の平坦部に載置されて補助五徳がトッププレートに載設支持され、後列の分割五徳の被載設部が補助五徳の載置部に載置されて後列の分割五徳が左右の補助五徳に載設支持され、前列の分割五徳の後部角部が後列の分割五徳の角部載置部に載置されて前列の分割五徳が後列の分割五徳に載設支持されているから、支持脚をトッププレートの略中央部に載設して左右の補助五徳をトッププレートに載設支持し、補助五徳の載置部に後列の分割五徳の被載設部を載置して、後部の分割五徳を左右の補助五徳間に載設支持し、その後、後列の分割五徳の角部載置部に前列の分割五徳の角部を載置することで、分割されたものを後列から順番に組み立てることができ、分解は前列のものからおこなえ、作業性を高めることできるという利点がある。
【００２８】
請求項７においては、後部に形成されている排気口の上方及びその左右部には、後列の分割五徳及び補助五徳に一体に形成された排気口用五徳部分が配置されているから、従来では別体となっていた排気口用五徳部分を一体化して、その取扱い性を高めることができるという利点がある。
請求項８においては、後列の分割五徳の排気口用五徳部分には、トッププレートに近接する一対の隔壁が垂下され、トッププレートの開口部に排気口が臨み、隔壁間に排気口を位置させてあるから、排気が後列の分割五徳や補助五徳を越えてガスバーナ側に侵入するのを防止することができるという利点がある。
【図面の簡単な説明】
【図１】本発明の一実施例を示し、要部の断面図である。
【図２】同上のガス調理器の正面図である。
【図３】同上の平面図である。
【図４】（ａ）は同上の組み込み状態を示す破断平面図、（ｂ）は破断正面図である。
【図５】同上の一部破断した側面図である。
【図６】同上の五徳を示す分解斜視図である。
【図７】同上の前列の分割五徳を示し、（ａ）は平面図、（ｂ）は一部破断した正面図、（ｃ）は一部破断した側面図である。
【図８】同上の後列の分割五徳を示し、（ａ）は平面図、（ｂ）は正面図、（ｃ）は側断面図である。
【図９】同上の補助五徳を示し、（ａ）は平面図、（ｂ）は正面図、（ｃ）は側断面図である。
【図１０】同上のトッププレートを示し、（ａ）は平面図、（ｂ）は（ａ）のＡーＡ線断面図、（ｃ）は（ａ）のＢーＢ線断面図である。
【図１１】同上の五徳の組み立て構成を示していて、（ａ）は作用を示す斜視図、（ｂ）は補助五徳の位置決め突片と分割五徳の位置決め凹溝との関係を示す分解斜視図、（ｃ）は排気口と隔壁との関係を示す斜視図、（ｄ）は脚片と堤部との関係を示す斜視図である。
【図１２】同上の後列の分割五徳と排気口との関係を示す断面図である。
【図１３】同上のカウンターを示し、（ａ）は平面図、（ｂ）は側面図である。
【図１４】従来例のガス調理器を示し、（ａ）は平面図、（ｂ）は一部破断した正面図、（ｃ）は一部破断した側面図である。
【符号の説明】
１    トッププレート
２    五徳
２ａ  分割五徳
２ｂ  補助五徳
２ｃ  排気口用五徳部分
３    支持杆
４    連結枠
５    カウンター
６    障壁
２１  堤部
２２  脚片
３１  排気口
３２  支持脚
３３  被載設部
３４  載置部
３５  角部載置部
３６  隔壁
【図１】
0003776946.tif 000002
【図２】
0003776946.tif 000003
【図３】
0003776946.tif 000004
【図４】
0003776946.tif 000005
【図５】
0003776946.tif 000006
【図６】
0003776946.tif 000007
【図７】
0003776946.tif 000008
【図８】
0003776946.tif 000009
【図９】
0003776946.tif 000010
【図１０】
0003776946.tif 000011
【図１１】
0003776946.tif 000012
【図１２】
0003776946.tif 000013
【図１３】
0003776946.tif 000014
【図１４】
0003776946.tif 000015